(57)【要約】      （修正有）【課題】表示媒体に表示された表示情報に関連付けられた関連情報をネットワークを介して提供する情報提供システムを提供する。【解決手段】端末機器１１０がカメラ部で撮像した表示情報の画像から表示媒体識別情報を取り出して管理センター３００に送信する制御部を備えており、管理センター３００が、表示情報に関連付けられた関連情報を記憶部に記憶しておき、端末機器１１０から送られてきた表示媒体識別情報に基づいて、表示媒体識別情報に関連付けられた関連情報を記憶部から呼び出して、関連情報をネットワーク４００を介して端末機器に送信する。【選択図】図１
0003191481.tif 000002
【実用新案登録請求の範囲】
【請求項１】
表示媒体に備えられた表示情報に関連付けて管理センターで関連情報を登録しておき、この表示媒体の表示情報を端末機器のカメラ部で撮像して、当該表示情報に含まれる表示媒体識別情報をネットワークを介して前記管理センターに送信し、前記表示媒体識別情報に対応する関連情報を前記ネットワークを介して前記管理センターから前記端末機器で受信して、前記端末機器の表示部に前記関連情報を表示させる、関連情報提供システムであって、
前記端末装置が、前記カメラ部で撮像した表示情報の画像から表示媒体識別情報を取り出して、前記ネットワークを介して前記管理センターに送信する制御部を備えており、
前記管理センターが、表示情報に関連付けられた関連情報を記憶部に記憶しておき、前記端末機器から送られてきた表示媒体識別情報に基づいて、当該表示媒体識別情報に関連付けられた関連情報を前記記憶部から呼び出して、この関連情報をネットワークを介して前記端末機器に送信する、
ことを特徴とする、情報提供システム。
【請求項２】
前記関連情報が、表示情報に関連する画像情報であることを特徴とする、請求項１に記載の情報提供システム。
【請求項３】
前記関連情報が、表示情報に関連する動画情報であることを特徴とする、請求項１に記載の情報提供システム。
【請求項４】
前記端末装置の表示部が、撮像した表紙情報の画像と共に、前記関連情報を表示することを特徴とする、請求項１から３の何れかに記載の情報提供システム。
【請求項５】
前記関連情報が、当該表示情報に関連する情報を提供するＷｅｂページ情報であって、
前記端末装置が、管理センターから受信したＷｅｂページ情報に基づいて、ネットワークを介して、当該Ｗｅｂページ情報に対応するＷｅｂページのサイトにアクセスして、当該Ｗｅｂページを表示部に表示させることを特徴とする、請求項５に記載の情報提供システム。
【請求項７】
前記表示媒体が、郵便切手であることを特徴とする、請求項１から６の何れかに記載の情報提供システム。
【請求項８】
前記表示媒体が、郵便切手シートであって、前記表示情報が、シート枠部に備えられていることを特徴とする、請求項１から６の何れかに記載の情報提供システム。
【考案の詳細な説明】
【技術分野】
【０００１】
本考案は、切手等の表示媒体に表示された表示情報に関連付けられた関連情報をネットワークを介して提供する情報提供システムに関するものである。
【背景技術】
【０００２】
従来、例えば郵便切手として、ユーザの希望するデザインを備えたオリジナルデザインの郵便切手が既に販売されている。
このようなオリジナルデザインの郵便切手は、その表面に、例えばユーザが気に入った写真や図柄等を切手の表面に印刷等により備えることにより構成されており、このような郵便切手をハガキや封筒等の郵便物に貼付して、投函することによって、差出人であるユーザは、受取人に対して個性をアピールすることができる。
【０００３】
他方、ハガキや封筒等の郵便物の表面に、所謂二次元バーコード等の識別表示を付すことにより、受取人に対して、希望する情報を提供することも既に行なわれている。
これにより、ユーザは、ハガキや封書等の郵便物を介して、受取人に対して、所望の情報を提供することができる。
【考案の概要】
【考案が解決しようとする課題】
【０００４】
しかしながら、オリジナルデザインの郵便切手を使用する場合、従来は写真や図柄等を表示するのみであり、受取人に対して伝達できる情報は少ない。
他方、ハガキや封筒等の表面に識別表示を付す場合には、この識別表示に関連付けて、例えばネットワークを介して受取人に対して所望の情報を提供することができるが、提供したい情報に関連付けた識別表示を、ハガキや封筒等に付す作業が必要となり、作業が煩雑になってしまう。
【０００５】
本考案は、以上の点に鑑み、郵便切手等の表示媒体に表示された表示情報に関連付けられた関連情報をネットワークを介して提供する情報提供システムを提供することを目的としている。
【課題を解決するための手段】
【０００６】
上記目的は、本考案によれば、表示媒体に備えられた表示情報に関連付けて管理センターで関連情報を登録しておき、この表示媒体の表示情報を端末機器のカメラ部で撮像して、当該表示情報に含まれる表示媒体識別情報をネットワークを介して管理センターに送信し、表示媒体識別情報に対応する関連情報をネットワークを介して管理センターから端末機器で受信して、端末機器の表示部に関連情報を表示させる、関連情報提供システムであって、ユーザの端末装置が、カメラ部で撮像した表示情報の画像から表示媒体識別情報を取り出して、前記ネットワークを介して前記管理センターに送信する制御部を備えており、管理センターが、表示情報に関連付けられた関連情報を記憶部に記憶しておき、端末機器から送られてきた表示媒体識別情報に基づいて、表示媒体識別情報に関連付けられた関連情報を記憶部から呼び出して、この関連情報をネットワークを介して端末機器に送信することを特徴とする、情報提供システムにより達成される。
【０００７】
上記構成によれば、例えばハガキ，封書，名刺，パンフレット等の差出人やこれらを運営する運営側あるいはこれらの情報提供者が、表示媒体、例えば郵便切手，名刺，パンフレット等に備えられた写真，絵柄等の表示情報に関連する関連情報を管理センターの記憶部に登録しておくことにより、差出人等が当該表示媒体を貼付したハガキ，封書，名刺，パンフレット等を発送あるいは提供した場合に、これを受け取ったユーザが、自分の端末機器で当該郵便物等に貼付された表示媒体を撮像することにより、この端末機器の制御部が表示媒体の撮像画面から表示媒体識別情報を取り出して、ネットワークを介して管理センターに送信する。
これを受けて、管理センターは、ユーザの端末機器から送られてきた表示媒体識別情報に基づいて、この表示媒体識別情報に関連付けられた画像情報，動画情報等の関連情報を記憶部から読み出して、ネットワークを介して当該端末機器に送信する。
そして、ユーザの端末機器は、送られてきた関連情報を表示部に表示する。
【０００８】
これにより、ユーザは、自分の端末機器の表示部に表示される関連情報を見て、当該表示媒体に備えられた表示情報に関連付けられた関連情報を視認して、当該表示媒体に関連する各種情報を視覚的に得ることができる。
【０００９】
本考案による情報提供システムは、好ましくは、端末装置の表示部が、撮像した表示情報の画像と共に、関連情報を表示することを特徴とする。
この構成によれば、関連情報の元となる表示媒体の表示情報が関連情報と共に表示部に表示されることによって、ユーザは、当該関連情報をより一層分かりやすく把握することができる。
【００１０】
本考案による情報提供システムは、好ましくは、関連情報が、当該表示情報に関連する情報を提供するＷｅｂページ情報であって、端末装置が、管理センターから受信したＷｅｂページ情報に基づいて、ネットワークを介して、当該Ｗｅｂページ情報に対応するＷｅｂページのサイトにアクセスして、当該Ｗｅｂページを表示部に表示させることを特徴とする。
この構成によれば、表示媒体の表示情報に関連して、関連情報としてＷｅｂページ情報が登録されていることにより、端末装置は、管理センターから関連情報としてＷｅｂページ情報を受信したとき、このＷｅｂページ情報に基づいて、ネットワークを介して管理センターまたは他のサーバに対して、当該Ｗｅｂページ情報に対応するＷｅｂページのサイトにアクセスして、当該Ｗｅｂページを表示部に表示させることができる。これにより、単に画像情報または動画情報だけでなく、表示媒体の表示情報に関連して、Ｗｅｂページとして構成された多様な情報を得ることができる。
【００１１】
本考案による情報提供システムは、好ましくは表示媒体が、郵便切手であることを特徴とする。
この構成によれば、市販の郵便切手あるいは特注の郵便切手の写真や絵柄等の表示情報を利用して、この表紙情報に関連する関連情報をネットワークを介して管理センターから得ることが可能である。
【００１２】
本考案による情報提供システムは、好ましくは表示媒体が、郵便切手シートであって、前記表示情報が、シート枠部に備えられていることを特徴とする。
この構成によれば、例えば複数枚の郵便切手が一体化されたシート状の所謂切手シートを利用して、その郵便切手の外側領域を構成するシート枠部に、表示情報が備えられ、同様にしてこのシート枠部の表示情報を端末機器のカメラ部で撮像することにより、管理センターから関連情報が得られるので、郵便切手自体のデザイン構成の制約にとらわれることなく、自由なデザインの表示情報を備えることができる。
【考案の効果】
【００１３】
このようにして、本考案によれば、郵便切手等の表示媒体に表示された表示情報に関連付けられた関連情報をネットワークを介して提供する情報提供システムを提供することができる。
【図面の簡単な説明】
【００１４】
【図１】本考案の情報提供システムの一実施形態の構成を示すブロック図である。
【図２】図１の情報提供システムにおけるユーザの端末装置の構成を示すブロック図である。
【図３】図１の情報提供システムにおける管理センターの構成を示すブロック図である。
【図４】図２の情報提供システムにおける端末装置の表示部に表示される入力案内情報を示す図である。
【図５】図２の情報提供システムにおける端末装置の表示部に表示されるメニュー画面を示す図である。
【図６】図１の情報提供システムにおける情報提供作業を示すフローチャートである。
【考案を実施するための形態】
【００１５】
以下、図面に示した実施形態に基づいて本考案を詳細に説明する。
図１は、本考案による情報提供システムの一実施形態の構成を示している。
図１に示すように、情報提供システム１０は、ユーザ１００と、表示媒体としての郵便切手２００と、管理センター３００と、ネットワーク４００と、から構成されている。
尚、図１においては、ユーザ１００及び郵便切手２００は、それぞれ一つだけ図示されているが、一つに限定されるものではない。
【００１６】
ネットワーク４００は、管理センター３００とユーザ１００の端末装置１１０との間を相互に接続するインターネット，アナログ及びデジタルの携帯電話を含む一般公衆回線網あるいは専用回線網，公衆無線ＬＡＮ等のネットワーク、具体的には例えばＴＣＰ／ＩＰ等の所定のプロトコル環境下のインターネット接続サービスを提供するネットワークであって、インターネット接続サービスを提供するものである。
【００１７】
郵便切手２００は、例えば郵便事業者が発行する市販のものであって、差出人が郵便料金分の郵便切手を郵便物となるハガキや封筒に貼付し、投函することによって、この郵便物が受取人に配達される。
ここで、郵便切手２００は、その表面に、写真，図柄等の表示情報２１０が印刷等により付されている。
尚、郵便切手２００は、例えばユーザが気に入った写真，図柄等の表示情報２１０を表面に印刷等により備えた所謂オリジナルデザインの郵便切手でもよい。
【００１８】
さらに、郵便切手２００は、その表示情報２１０に表示媒体識別情報２２０を含んでいる。
この表示媒体識別情報２２０は、見かけ上は写真，図柄等に紛れて視認されにくくなっていてもよく、また写真，図柄中に明示されていてもよい。
また、表示媒体識別情報２２０は、表示情報２１０自体であってもよい。
【００１９】
ユーザ１００は、端末装置１１０により、差出人５００により投函された郵便物２０１を受け取ったとき、この郵便物２０１に貼付された郵便切手２００に関して、その表示情報２１０に関連付けられた関連情報（後述）の提供を管理センター３００から受けようとする者であって、ネットワーク４００を介して管理センター３００にアクセスし、管理センター３００が提供する関連情報を受け取ることができる。
また、ユーザ１００は、管理センター３００にアクセスするための端末装置として、パーソナルコンピュータや、携帯電話機，ＰＨＳ，タブレット，ＰＤＡ，スマートフォンを含む各種情報端末機器や管理センターアクセス専用端末等の端末装置１１０を使用することができる。以下の説明では、端末装置としてスマートフォンを使用する場合について説明する。
【００２０】
ここで、端末装置１１０は、図２に示すように、郵便物２０１に貼付された郵便切手２００を撮像することができるカメラ部１２０を備えている。
このカメラ部１２０は、端末装置１１０に対して例えばＵＳＢ接続等により外部接続されるものでもよく、また端末装置１１０自体に内蔵されていてもよい。
これにより、ユーザ１００が端末装置１１０のカメラ部１２０を郵便切手２００に向けることにより、カメラ部１２０は、郵便切手２００を撮像し、郵便切手２００の撮像画面１２１を作成する。
【００２１】
そして、端末装置１１０は、図２に示すように、カメラ部１２０が撮像した郵便切手２００の撮像画面１２１を、その表示部１３０の画面上に表示すると共に、当該撮像画面１２１を制御部１４０により画像解析して、郵便切手２００の表示情報２１０に含まれる表示媒体識別情報２２０を取り出す。
さらに、端末装置１１０は、取り出した表示媒体識別情報２２０を、ネットワーク４００を介して、管理センター３００に送信する。
また、端末装置１１０は、管理センター３００からネットワーク４００を介して送られてくる関連情報３３１（後述）を受け取って、この関連情報３３１を表示部１３０の画面上に表示する。
【００２２】
ここで、端末装置１１０における上述した撮像画面１２１及び関連情報３３１の表示部１３０への表示、撮像画面１２１からの表示媒体識別情報２２０の取り出し、そして表示媒体識別情報２２０の管理センター３００への送信及び管理センター３００からの関連情報３３１の受信は、端末装置１１０の制御部１４０で作動するプログラムにより実行される。
このプログラムは、例えば管理センター３００側から提供される本情報提供システム１０のための専用プログラム（アプリ）であっても、また端末装置１１０に前もって登録されているプログラムであってもよい。
そして、このプログラムが起動されると、端末装置１１０の制御部１４０は、その表示部１３０の画面上に、カメラ部１２０の撮像画面１２１と共に、入力案内情報１１１を表示する。
【００２３】
この入力案内情報１１１は、上記プログラムに組み込まれていてもよく、またプログラム起動時に、管理センター３００にアクセスして、管理センター３００から受信してもよい。
入力案内情報１１１は、例えば図４に示すように、ユーザ１００に対して、カメラ部１２０を郵便切手２００上にかざして、当該郵便切手２００の撮像を促す表示１１３ａと、郵便切手２００の位置決め枠の表示１１３ｂと、を備えている。
【００２４】
そして、端末装置１１０の制御部１４０が、カメラ部１２０による撮像画面１２１を解析して、郵便切手２００の表示情報２１０を認識すると、制御部１４０は、郵便切手２００の表示情報２１０から表示媒体識別情報２２０を取り出して、この表示媒体識別情報２２０をネットワーク４００を介して管理センター３００に送信する。
また、管理センター３００から関連情報３３１が送られてくると、端末装置１１０の制御部１４０は、当該関連情報３３１を表示部１３０の画面上に表示する。
【００２５】
管理センター３００は、図３に示すように、適宜の箇所に設けられたワークステーション，サーバ等の情報処理装置から構成されており、送受信部３１０と、処理部３２０と、記憶部３３０と、を有している。
尚、管理センター３００での処理は、プログラムに制御されたサーバ，ワークステーション等のコンピュータにより実行され、記録媒体としては、例えば磁気ディスク，半導体メモリ，その他の任意のコンピュータで読み取り可能なものが使用される。また、記録媒体に記録されたプログラムは、記録媒体を直接コンピュータに装着して当該コンピュータに読み込ませてもよく、また各種ネットワークを介してコンピュータに読み込ませるようにしてもよい。
【００２６】
管理センター３００の送受信部３１０は、ユーザ１００の端末装置１１０からネットワーク３００を介して送られてくる表示媒体識別情報２２０を受信して、処理部３２０に送出する。
また、送受信部３１０は、処理部３２０から送られてくる関連情報３３１を、ネットワーク３００を介して、ユーザ１００の端末装置１１０に送信する。
【００２７】
管理センター３００の処理部３２０は、管理センター３００の送受信部３１０から表示媒体識別情報２２０を受け取ったとき、この表示媒体識別情報２２０に基づいて、記憶部３３０に登録されている関連情報３３１のデータベースを検索して、当該表示媒体識別情報２２０に関連付けられた関連情報３３１を読み出す。
そして、管理センター３００の処理部３２０は、この関連情報３３１を送受信部３１０からネットワーク４００を介してユーザ１００の端末装置１１０に送信する。
尚、関連情報３３１は、前もって表示媒体識別情報２２０に関連付けてデータベース化され、記憶部３３０に登録されている。これにより、表示媒体識別情報２２０に基づいて、対応する関連情報３３１が検索され、取り出されるようになっている。
【００２８】
より詳細には、関連情報３３１は、表示媒体識別情報２２０に対応するメニュー画面３３２，動画情報３３３及びＷｅｂページ情報３３４から構成されている。
メニュー画面３３２は、図５に示すように、例えば表示媒体識別情報２２０に関連する静止画（図示の場合、山鉾の３Ｄ画面３３２ａと、画面表示による動画選択ボタン３３２ｂ，Ｗｅｂ選択ボタン３３２ｃ及びリセットボタン３３２ｄから構成されている。
これらのボタン３３２ｂ〜３３２ｄは、端末装置１１０の表示部１３０がタッチパネルとして構成されていることを利用したものであり、タッチパネルでない場合には、マウスカーソルや、キーボード等のキーを利用することも可能である。
【００２９】
そして、メニュー画面３３２が表示されている状態で、動画選択ボタン３３２ｂがタッチ操作されると、端末装置１１０の制御部１４０は、動画情報要求信号１４１をネットワーク４００を介して管理センター３００に送信し、管理センター３００から送られてくる動画情報３３３を受信して、当該動画情報３３３による動画を表示部１３０の画面上に再生する。
ここで、動画が終了すると、端末装置１１０の制御部１４０は、表示部１３０の画面上に再びメニュー画面３３２を表示する。
【００３０】
また、メニュー画面３３２が表示されている状態で、Ｗｅｂ選択ボタン３３２ｃがタッチ操作されると、端末装置１１０の制御部１４０は、Ｗｅｂページ情報要求信号１４２をネットワーク４００を介して管理センター３００に送信し、管理センター３００から送られてくるＷｅｂページ情報３３４を受信する。
これにより、端末装置１１０の制御部１４０は、受信したＷｅｂページ情報３３４に基づいて、ネットワーク４００を介して、管理センター３００または他のサーバが提供するＷｅｂページにアクセスして、当該Ｗｅｂページが提供する各種サービスを受けることができる。
【００３１】
さらに、メニュー画面３３２が表示されている状態で、リセットボタン３３２ｄがタッチ操作されると、端末装置１１０の制御部１４０は、管理センター３００へのアクセスを切断し、本プログラムを終了すると共に、表示部１２０の画面上に待機画面等を表示し、あるいは表示を中止する。
【００３２】
即ち、管理センター３００の処理部３２０は、関連情報３３１に関して、端末装置１１０から表示媒体識別情報２２０を受け取ったときには、関連情報３３１のうちメニュー画面３３２のみをネットワーク４００を介して端末装置１１０に送信し、その後、端末装置１１０から動画情報要求信号１４１を受け取ったとき、動画情報３３３をネットワーク４００を介して端末装置１１０に送信する。
また、管理センター３００の処理部３２０は、端末装置１１０からＷｅｂページ情報要求信号１４２を受け取ったとき、Ｗｅｂページ情報３３４をネットワーク４００を介して端末装置１１０に送信する。
【００３３】
本考案実施形態による情報提供システム１０は、以上のように構成されており、その動作について図６を参照して説明する。
【００３４】
図６は、本考案実施形態による情報提供システム１０における情報提供作業を示している。
図６において、ユーザ１００は、符号Ａ１で示すように、端末装置１１０を操作して、情報提供のためのプログラムを起動すると、端末装置１１０の制御部１４０は、符号Ａ２で示すように、表示部１４０入力案内情報１１１を表示する。
これにより、ユーザ１００は、符号Ａ３で示すように、端末装置１１０の表示部１３０の画面を見ながら、位置決め表示枠の表示１１３ｂで示される枠内に、撮像画面１２１の郵便切手２００の画像が収まるように調整する。
【００３５】
この状態において、端末装置１１０の制御部１４０は、符号Ａ４で示すように、カメラ部１２０からの撮像画面１２１を解析して、郵便切手２００の表示情報２１０を認識する。
これにより、端末装置１１０の制御部１４０は、符号Ａ５で示すように、表示情報２１０から表示媒体識別情報２２０を取り出して、符号Ａ６で示すように、この表示媒体識別情報２２０をネットワーク４００を介して管理センター３００に送信する。
【００３６】
これを受けて、管理センター３００の送受信部３１０は、符号Ａ７で示すように、受信した表示媒体識別情報２２０を処理部３２０に送出する。
これにより、管理センター３００の処理部３２０は、符号Ａ８で示すように、送受信部３１０から送られてきた表示媒体識別情報２２０に基づいて、記憶部３３０に登録されている関連情報３３１のデータベースを検索し、当該表示媒体識別情報２２０に関連付けられた関連情報３３１を読み出して、符号Ａ９で示すように、関連情報３３１のうち、メニュー画面３３２のみをネットワーク４００を介して端末装置１１０に送信する。
そして、端末装置１１０の制御部１４０は、符号Ａ１０で示すように、管理センター３００から送られてきた関連情報３３１のメニュー画面３３２を表示部１３０の画面上に表示して、ユーザ１００の操作を待つ。
【００３７】
ここで、符号Ａ１１で示すように、ユーザ１００が端末装置１１０の表示部１３０に表示されているメニュー画面３３２の動画選択ボタン３３２ｂを操作すると、端末装置１１０の制御部１４０は、符号Ａ１２で示すように、動画情報要求信号１４１をネットワーク４００を介して管理センター３００に送信する。
これを受けて、管理センター３００の送受信部３１０は、符号Ａ１３で示すように、受信した動画情報要求信号１４１を処理部３２０に送出する。
これにより、管理センター３００の処理部３２０は、符号Ａ１４で示すように、既に読み出してある関連情報３３１のうち、動画情報３３３をネットワーク４００を介して端末装置１１０に送信する。
そして、端末装置１１０の制御部１４０は、符号Ａ１５で示すように、メニュー画面３３２を消して、表示部１２０の画面上に動画情報３３３による動画を再生する。
続いて、端末装置１１０の制御部１４０は、動画情報３３３による動画の再生が終わると、符号Ａ１６で示すように、再び表示部１２０の画面上にメニュー画面３３２を表示して、ユーザ１００による操作を待つ。
【００３８】
また、符号Ａ１０で示すメニュー画面３３２が表示された状態で、符号Ａ１７で示すように、ユーザ１００が端末装置１１０の表示部１３０に表示されているメニュー画面３３２のＷｅｂ選択ボタン３３２ｃを操作すると、端末装置１１０の制御部１４０は、符号Ａ１８で示すように、Ｗｅｂページ情報要求信号１４２をネットワーク４００を介して管理センター３００に送信する。
これを受けて、管理センター３００の送受信部３１０は、符号Ａ１９で示すように、受信したＷｅｂページ情報要求信号１４２を処理部３２０に送出する。
これにより、管理センター３００の処理部３２０は、符号Ａ２０で示すように、既に読み出してある関連情報３３１のうち、Ｗｅｂページ情報３３４をネットワーク４００を介して端末装置１１０に送信する。
そして、端末装置１１０の制御部１４０は、符号Ａ２１で示すように、メニュー画面３３２を消して、受信したＷｅｂページ情報３３４に基づいて、ネットワーク４００を介して、管理センター３００または他のサーバが提供するＷｅｂページにアクセスし、Ｗｅｂページを表示部１２０の画面上に表示する。
これにより、ユーザ１００は、符号Ａ２２で示すように、端末装置１１０の画面上に、そのＷｅｂページを表示させ、当該Ｗｅｂページが提供する各種サービスを受けることができる。
その後、符号Ａ２３で示すように、ユーザ１００が端末装置１１０の表示部１２０の画面上で、Ｗｅｂページの表示を終了させると、端末装置１１０の制御部１４０は、符号Ａ２４で示すように、表示部１２０上のＷｅｂページ画面を消して、再びメニュー画面３３２を表示して、ユーザ１００による操作を待つ。
【００３９】
これに対して、符号Ａ１０で示すメニュー画面３３２が表示された状態で、符号Ａ２５で示すように、ユーザ１００が端末装置１１０の表示部１３０に表示されているメニュー画面３３２のリセットボタンボタン３３２ｄを操作すると、端末装置１１０の制御部１４０は、符号Ａ２６で示すように、管理センター３００へのアクセスを切断し、本プログラムを終了して、符号Ａ２７で示すように、本プログラム起動前と同様の待機画面等を表示部１２０の画面上に表示する。
以上で、情報提供の作業が完了する。
【産業上の利用可能性】
【００４０】
本考案はその趣旨を逸脱しない範囲において様々な形態で実施することができる。
例えば、上述した情報提供システム１０においては、ユーザ１００の端末装置１１０として、スマートフォンを使用した場合について説明したが、これに限らず、タッチパネルを採用したタブレット，ノートパソコン，ＰＤＡ等を含む携帯端末装置や、タッチパネルを備えていない携帯電話機，ノートパソコン，デスクトップパソコン等も端末装置１１０として使用することが可能である。
また、上述した情報提供システム１０においては、関連情報３３１として、初期画面であるメニュー画面３３２の他に、動画情報３３３及びＷｅｂページ情報３３４を含んでいるが、これに限らず、静止画情報あるいは音楽情報を含んでいてもよい。
さらに、上述した情報提供システム１０においては、関連情報３３２のうち、Ｗｅｂページ情報３３４が、管理センター３００で提供するＷｅｂページを参照するように設定されているが、これに限らず、管理センター３００の管理者以外の第三者が提供するＷｅｂページを参照するＷｅｂページ情報３３４であってもよい。
また、提供する情報の中に、通信販売の機能を持たせたり、宿泊施設の予約機能等を盛り込んだりすれば、新たなビジネスチャンスが生まれるきっかけともなる。
また、上記の例では、表示媒体をハガキや封書に添付される郵便切手を例にして説明したが、これに限られるものではなく、例えば、名刺、パンフレット、写真集、画集等あらゆる表示媒体でもよい。この場合、それらに備えられた写真，絵柄等の表示情報に基づき関連情報が提供される構成としても良い。
【００４１】
以上のように、本考案によれば、郵便切手等の表示媒体に表示された表示情報に関連付けられた関連情報をネットワークを介して提供することができる極めて優れた情報提供システムが提供されることになる。
【符号の説明】
【００４２】
１０    情報提供システム
１００  ユーザ
１１０  端末機器
１２０  カメラ部
１２１  撮像画面
１３０  表示部
１４０  処理部
１４１  動画情報要求信号
１４２  Ｗｅｂページ情報要求信号
２００  郵便切手
２０１  郵便物
２１０  表示情報
２２０  表示媒体識別情報
３００  管理センター
３１０  送受信部
３２０  記憶部
３３０  処理部
３３１  関連情報
３３２  メニュー画面
３３３  動画情報
３３４  Ｗｅｂページ情報
４００  ネットワーク
５００  差出人
【図１】
0003191481.tif 000003
【図２】
0003191481.tif 000004
【図３】
0003191481.tif 000005
【図４】
0003191481.tif 000006
【図５】
0003191481.tif 000007
【図６】
0003191481.tif 000008
【手続補正書】
【提出日】平成26年4月17日(2014.4.17)
【手続補正１】
【補正対象書類名】実用新案登録請求の範囲
【補正対象項目名】全文
【補正方法】変更
【補正の内容】
【実用新案登録請求の範囲】
【請求項１】
表示媒体に備えられた表示情報に関連付けて管理センターで関連情報を登録しておき、この表示媒体の表示情報を端末機器のカメラ部で撮像して、当該表示情報に含まれる表示媒体識別情報をネットワークを介して前記管理センターに送信し、前記表示媒体識別情報に対応する関連情報を前記ネットワークを介して前記管理センターから前記端末機器で受信して、前記端末機器の表示部に前記関連情報を表示させる、関連情報提供システムであって、
前記端末装置が、前記カメラ部で撮像した表示情報の画像から表示媒体識別情報を取り出して、前記ネットワークを介して前記管理センターに送信する制御部を備えており、
前記管理センターが、表示情報に関連付けられた関連情報を記憶部に記憶しておき、前記端末機器から送られてきた表示媒体識別情報に基づいて、当該表示媒体識別情報に関連付けられた関連情報を前記記憶部から呼び出して、この関連情報をネットワークを介して前記端末機器に送信する、
ことを特徴とする、情報提供システム。
【請求項２】
前記関連情報が、表示情報に関連する画像情報であることを特徴とする、請求項１に記載の情報提供システム。
【請求項３】
前記関連情報が、表示情報に関連する動画情報であることを特徴とする、請求項１に記載の情報提供システム。
【請求項４】
前記端末装置の表示部が、撮像した表紙情報の画像と共に、前記関連情報を表示することを特徴とする、請求項１から３の何れかに記載の情報提供システム。
【請求項５】
前記関連情報が、当該表示情報に関連する情報を提供するＷｅｂページ情報であって、
前記端末装置が、管理センターから受信したＷｅｂページ情報に基づいて、ネットワークを介して、当該Ｗｅｂページ情報に対応するＷｅｂページのサイトにアクセスして、当該Ｗｅｂページを表示部に表示させることを特徴とする、請求項４に記載の情報提供システム。
【請求項６】
前記表示媒体が、郵便切手であることを特徴とする、請求項１から５の何れかに記載の情報提供システム。
【請求項７】
前記表示媒体が、郵便切手シートであって、前記表示情報が、シート枠部に備えられていることを特徴とする、請求項１から６の何れかに記載の情報提供システム。